(57)【要約】【課題】床板の室内に面する側が石材から成る床板が配置され二重床構造において、補強板の厚さを厚くすることなく、石割れの発生をなくすとともに、遮音性能を確保する。【解決手段】床材２０と壁面３２との間と床材２０と幅木３３との間とに隙間３２ｓ，３３ｓが設けられている二重床構造１０において、床スラブ３１上に配置された複数の床支持具１１，１２上に設けられる床材２０を、床支持具上に配置される下地板２１と、室内側に配置される仕上げ板２３と、仕上げ板２３と下地板２１との間に配置される補強板２２とから構成するとともに、仕上げ板２３を、室内側に配置される大理石から成る上部板２３ａと補強板２２側に配置される磁器質タイルから成る下部板２３ｂとを接着して積層した石合板とすることで軽量化するとともに、下部板２３ｂの磁器質タイルを上部板２３ａの大理石の補強材として作用させるようにした。【選択図】図１
2012122281.tif 000002
【特許請求の範囲】
【請求項１】
基礎床上に配置された複数の床支持具と、前記床支持具上に設けられた複数の床板から成る床材とを備え、前記床材と壁面との間、もしくは、前記床材と壁面との間と前記床材と幅木との間とに隙間が設けられている二重床構造であって、
前記床材は、前記床支持具上に配置される下地板と、室内側に配置される仕上げ板と、前記仕上げ板と前記下地板との間に配置されて前記仕上げ板を補強する補強板とから成り、前記仕上げ板が、石材から構成されて室内側に配置される上部板とセラミックスから構成されて前記補強板側に配置される下部板とを接着して成る石合板であることを特徴とする二重床構造。
【請求項２】
前記上部板の厚さが前記仕上げ板の厚さの１/１２〜１/２の範囲にあることを特徴とする請求項１に記載の二重床構造。
【請求項３】
前記石材が大理石で、前記セラミックスが磁器質タイルであることを特徴とする請求項１または請求項２に記載の二重床構造。
【請求項４】
前記磁器質タイルの前記補強板側の面には複数の溝部もしくは複数の凹部のいずれか一方または両方が形成されていることを特徴とする請求項３に記載の二重床構造。
【発明の詳細な説明】
【技術分野】
【０００１】
本発明は、基礎床上に配置された複数の床支持具上に複数の床板を積層して成る床材を配置した二重床構造に関するもので、特に、最上部の床板の室内に面する側が石材から成る床板である二重床構造に関する。
【背景技術】
【０００２】
近年、集合住宅等の各種建造物においては、基礎床上に床支持具を複数個配置し、これらの床支持具上に複数の床板を積層して成る二重床構造が多く採用されている。
このような二重床構造においては、床材に衝撃が加わった際に発生する振動を低減するため、図８に示すように、基礎床である床スラブ３１上にクッション性を有する防振材１１ａ，１２ａを備えた複数の床支持具１１，１２を配置し、これら床支持具１１，１２の上に、台座１１ｂ，１２ｂを介して、パーティクルボードなどから成る下地板５１と構造用合板から成る補強板５２と仕上げ板５３とを順に積層して成る床材５０を配置するとともに、床材５０と壁３２との間に２ｍｍ程度の空気連通路（隙間）３２ｓを設けている。また、部屋の隅に当たる壁３２の表面の床材５０の直上には、壁３２の表面に沿って幅木３３が取付けられるが、この幅木３３を取付ける際にも、床材５０と幅木３３との間に２ｍｍ程度の隙間３３ｓを設けるようにしている（例えば、特許文献１参照）。
【０００３】
最上部の床板である仕上げ板５３には、フローリング材が多く用いられているが、近年、大理石などの石材を用いた石貼り床の需要が増加しつつある。
しかしながら、仕上げ板５３として石材を用いた場合には床材５０の剛性が低下するため、下地板５１と仕上げ板５３との間に介挿される補強板５２を単に厚くしただけでは、衝撃音によっては、石割れが生じてしまうなどの問題点があった。
そこで、図９に示すように、補強板５２を目違い張りした２枚の合板５２ａ，５２ｂから構成して前記床材５０の衝撃音に対する剛性を向上させることで、仕上げ板５３に大理石などの石材を用いた場合の石割れをなくす方法が提案されている（例えば、特許文献２参照）。
【先行技術文献】
【特許文献】
【０００４】
【特許文献１】特開２０００−１０４３９３号公報
【特許文献２】特開２００４−２３２３１４号公報
【発明の概要】
【発明が解決しようとする課題】
【０００５】
しかしながら、補強板５２を目違い張りした２枚の合板５２ａ，５２ｂとする構成としても、仕上げ板５３が全て大理石などの石材で構成されている場合には、石割れは低減されるものの、仕上げ板５３にフローリング材を用いた場合に比較して補強板５２の厚さが厚くなってしまうといった問題点があった。
また、補強板５２を厚くしたことにより床材５０の重量が増加するため、図１０に示すように、下地板５１の中央部にも床支持具１１，１２を配置する必要があった。
更に、仕上げ板５３が石材であるため、仕上げ板５３と補強板５２とを接着した場合に仕上げ板５３が剥離する恐れがあった。
【０００６】
本発明は、従来の問題点に鑑みてなされたもので、床板の室内に面する側が石材から成る床板が配置された二重床構造において、補強板の厚さを厚くすることなく、石割れの発生をなくすとともに、遮音性能を確保することを目的とする。
【課題を解決するための手段】
【０００７】
本発明の請求項１に記載の発明は、基礎床上に配置された複数の床支持具と、前記床支持具上に設けられた複数の床板から成る床材とを備え、前記床材と壁面との間、もしくは、前記床材と壁面との間と前記床材と幅木との間とに隙間が設けられている二重床構造であって、前記床材は、前記床支持具上に配置される下地板と、室内側に配置される仕上げ板と、前記仕上げ板と前記下地板との間に配置されて前記仕上げ板を補強する補強板とから成り、前記仕上げ板が、石材から構成されて室内側に配置される上部板とセラミックスから構成されて前記補強板側に配置される下部板とを接着して成る石合板であることを特徴とする。
このように、仕上げ板として、石材から成る上部板とセラミックスから成る下部板とを積層した仕上げ板を用いれば、下部板のセラミックスが石材の補強材として作用するので、補強板の厚さを厚くすることなく床材全体の剛性を高めることができる。したがって、遮音性能を十分に確保することができるとともに、床衝撃音に起因する石割れを効果的に低減することができる。
また、補強板の厚さを厚くする必要がないので、床支持具の数を少なくできる。
【０００８】
請求項２に記載の発明は、請求項１に記載の二重床構造であって、前記上部板の厚さが前記仕上げ板の厚さの１/１２〜１/２の範囲にあることを特徴とする。
これにより、セラミックスに石材の補強材としての作用を確実に発揮させることができるので、遮音性能を確保しつつ石割れを確実に低減することができる。
請求項３に記載の発明は、請求項１または請求項２に記載の二重床構造であって、前記石材が大理石で、前記セラミックスが磁器質タイルであることを特徴とする。
これにより、仕上げ板と補強板との剥離の発生を確実に低減できるだけでなく、裏面側からの水の吸い上げを防ぐことができる。
請求項４に記載の発明は、請求項３に記載の二重床構造であって、前記磁器質タイルの前記補強板側の面には複数の溝部もしくは複数の凹部のいずれか一方または両方が形成されていることを特徴とする。
このように、磁器質タイルの裏面に、複数の溝部や複数の凹部を設ければ、仕上げ板と補強板との接着を更に確実に行うことができる。
【０００９】
なお、前記発明の概要は、本発明の必要な全ての特徴を列挙したものではなく、これらの特徴群のサブコンビネーションもまた、発明となり得る。
【図面の簡単な説明】
【００１０】
【図１】本発明の実施の形態に係る二重床構造の要部断面図である。
【図２】本実施の形態に係る二重床構造の平面図である。
【図３】本発明による仕上げ板の構成と床板の積層方法を示す図である。
【図４】床衝撃音レベルの測定方法を示す図である。
【図５】軽量床衝撃音レベルの測定結果を示すグラフである。
【図６】バングマシーンによる衝撃音レベルの測定結果を示すグラフである。
【図７】ゴムボールによる衝撃音レベルの測定結果を示すグラフである。
【図８】従来の二重床構造（フローリング）を示す断面図である。
【図９】従来の二重床構造（大理石）を示す断面図である。
【図１０】仕上げ板に大理石を用いた場合の床支持具の配置を示す図である。
【発明を実施するための形態】
【００１１】
以下、実施の形態を通じて本発明を詳説するが、以下の実施の形態は特許請求の範囲に係る発明を限定するものでなく、また、実施の形態の中で説明される特徴の組み合わせの全てが発明の解決手段に必須であるとは限らない。
【００１２】
図１は、本発明による二重床構造１０の要部断面図で、同図において、１１，１２は床支持具、２０は下地板２１と補強板２２と仕上げ板２３とを積層して成る床材、３１は基礎床である床スラブである。床支持具１１，１２は床スラブ３１上に配置され、床材２０は床支持具１１，１２上に配置される。
床支持具１１は壁面３２の近く、すなわち、壁側に設けられた壁側床支持具で、１２は壁側以外の部分に設けられた内側床支持具で、壁側床支持具１１と内側床支持具１２は、それぞれ、床スラブ３１上に設置される防振ゴム１１ａ，１２ａと、上部（室内側）に床材２０を取付けるための矩形状の台座１１ｂ，１２ｂが取付けられた支柱１１ｃ，１２ｃとを備える。
壁側床支持具１１の防振ゴム１１ａは床スラブ３１上に接着剤もしくは両面テープで固定される。内側床支持具１２の防振ゴム１２ａは床スラブ３１側に複数の半球状の突起１２ｑを有し、これら突起１２ｑが床スラブ３１の表面に当接している。
台座１１ｂ，１２ｂは、例えば、パーティクルボードなどで形成される。
支柱１１ｂ，１２ｂは、外周面に雄ネジが形成された金属製のボルトなどのネジ部材から成り、一端が防振ゴム１１ａ，１２ａに埋設・固定され、他端が台座１１ｂ，１２ｂに設けられた図示しない貫通孔に挿入されている。台座１１ｂ，１２ｂの床スラブ３１側の面である下面側には、支柱１１ｃ，１２ｃにネジ嵌合されたナット１１ｄ，１２ｄが設けられており、このナット１１ｄ，１２ｄの嵌合位置を調整することで、床支持具１１，１２の高さを調整することができる。
【００１３】
床材２０の下地板２１は、例えば、パーティクルボードなどで構成された厚さが約２０ｍｍの板材で、図２に示すように、床支持具１１，１２の台座１１ｂ，１２ｂ上に跨るように配置される。本例では、下地板２１の周縁部のみ床支持具１１，１２で支持し、下地板２１の中央部には床支持具１１，１２を配置していない。
補強板２２は、例えば、構造用合板などで構成された厚さが約１２ｍｍの板材で、下地板２１の上に配置される。
仕上げ板２３は、図３（ａ）〜（ｄ）に示すように、上部板２３ａと下部板２３ｂとを接着して一体に構成した石合板で、上部板２３ａが室内側になるように、補強板２２の上に配置される。本例では、上部板２３ａを大理石とし下部板２３ｂを磁器質タイルとするとともに、上部板２３ａと下部板２３ｂとを、例えば、エポキシボンドなどの接着剤で接着して一体化した。仕上げ板２３の寸法としては、例えば、一辺の長さが４００ｍｍの正方形で厚さが１２ｍｍのものが用いられるが、一辺の長さが３００ｍｍの正方形のものや６００ｍｍ×４００ｍｍの長方形のものなどを用いてもよい。
本例の仕上げ板２３は大理石と磁器質タイルとの積層板であるので、下部板２３ｂの磁器質タイルが上部板２３ａの大理石の補強材として作用するだけでなく、単位体積当たりの重さも大理石よりも軽いので、補強板２２が一枚の構造用合板であっても床材２０全体の剛性を高めることができるとともに、床衝撃音に起因する大理石の石割れを効果的に低減することができる。また、仕上げ板２３を積層板とすることで、全体が大理石である場合に比較して仕上げ板２３の均一性が高くなる。これによっても、石割れの発生は低減される。
また、床材２０全体の剛性が高く、かつ、床材２０の重さが、従来の仕上げ板５３が全て大理石で補強板５２が２枚の合板５２ａ，５２ｂから構成された床材５０よりも軽量なので、図２に示すように、床支持具１１，１２を下地板２１の周縁部のみに配置するだけでも十分な強度と遮音性能を得ることができる。
更に、吸水率の低い磁器質タイルを下部板２３ｂとして用いることにより、仕上げ板２３の裏面側からの水の吸い上げを防ぐことができるという利点もある。
【００１４】
上部板２３ａの厚さｔとしては、仕上げ板２３の厚さＴの１/１２〜１/２とすることが好ましい。これは、上部板２３ａの厚さｔがＴ/２を超えると、下部板２３ｂの補強材としての効果が低減するだけでなく、重量も増加するので、石割れの低減効果が低下するからである。また、厚さｔがＴ/１２に満たないと、上部板２３ａが薄すぎて却って石割れを起こし易くなるからである。したがって、上部板２３ａの厚さｔを仕上げ板２３の厚さＴの１/１２〜１/２とすることが好ましく、ｔをＴ/４程度にすると特に好ましい。
また、仕上げ板２３の下部板２３ｂを磁器質タイルで構成することで、下部板２３ｂの裏面（補強板２２側の面）２３ｎに、例えば、図３（ａ），（ｂ）に示すような、一般のタイルの裏足と同様の複数の凹部２３ｋを容易に形成することができる。仕上げ板２３と補強板２２とは、図３（ｂ），（ｃ）に示すように、例えば、エポキシボンドなどの接着剤２４を用いて接着されるが、下部板２３ｂの裏面２３ｎに凹部２３ｋが形成されていれば、仕上げ板２３を補強板２２上に配置する際に接着剤２４が凹部２３ｋに入り込むことで、接着面積が増加するので、仕上げ板２３と補強板２２とを強固に接着することができるだけでなく、接着作業は従来のタイル貼り作業と同じなので、接着作業が容易である。
また、仕上げ板を全て大理石などの石材とした場合、石材の裏面は荒削りではあるが平らなので、剥離の危険を伴うという問題があるが、本例の仕上げ板２３は補強板２２に強固に接着されるので、剥離の発生を確実に低減できる。
また、本例では、図３（ｃ）に示すように、互いに隣り合う仕上げ板２３，２３を所定の間隔（例えば、３ｍｍ）で補強板２２に貼り付けるとともに、互いに隣り合う仕上げ板２３，２３に形成された隙間（目地２３ｐ）内に、例えば、シリコン系シーリング剤などの弾性目地剤を充填するようにしている。これにより、床衝撃音が緩和されるので、遮音性能を更に向上させることができる。
【００１５】
次に、本発明による二重床構造１０の施工方法について説明する。
まず、床スラブ３１上に、複数の床支持具１１，１２を所定の間隔で配置し、その上に下地板２１を配置する。床支持具１１，１２は下地板２１の周縁部を支持するように配置される。下地板２１は床支持具１１，１２の台座１１ｂ，１２ｂに、例えば、ビスなどで固定される。このとき、床支持具１１，１２のナット１１ｄ，１２ｄの位置を調整することで、各下地板２１を水平に配置する。
下地板２１の上に補強板２２を配置した後には、補強板２２の上に最表層の床部材である仕上げ板２３を配置する。このとき、仕上げ板２３の壁面３２側の端部に図示しないスペーサ部材を設置した状態で、仕上げ板２３を補強板２２の上に貼り付けることにより、床材２０と壁面３２との間に空気連通路となる隙間３２ｓを確保する。また、仕上げ板２３の端部に図示しないスペーサ部材を設置した状態で幅木３３を取付けることで、床材２０と幅木３３との間に空気連通路となる隙間３３ｓを確保する。隙間３２ｓ，３３ｓの大きさとしては２ｍｍ程度とすることが好ましい。
本例の仕上げ板２３は、下部板２３ｂの裏面２３ｎに凹部２３ｋが形成されているので、エポキシボンドなどの接着剤２４を用いて、仕上げ板２３と補強板２２とを強固に接着することができる。
仕上げ板２３を下部板２３ｂに貼り付けた後には、目地２３ｐ内に、例えば、シリコン系シーリング剤などの弾性目地剤を充填して床材２０の施工を終了する。
【００１６】
このように本実施の形態では、床材２０と壁面３２との間と床材２０と幅木３３との間とに隙間３２ｓ，３３ｓが設けられている二重床構造１０において、床スラブ３１上に配置された複数の床支持具１１，１２上に設けられる床材２０を、床支持具１１，１２上に配置される下地板２１と、室内側に配置される仕上げ板２３と、仕上げ板２３と下地板２１との間に配置される補強板２２とから構成するとともに、仕上げ板２３を、室内側に配置される大理石から成る上部板２３ａと補強板２２側に配置される磁器質タイルから成る下部板２３ｂとを接着して積層した石合板とすることで軽量化するとともに、磁器質タイルから成る下部板２３ｂを上部板２３ａの大理石の補強材として作用させるようにしたので、補強板２２が一枚の構造用合板であっても床材２０全体の剛性を高めることができるだけでなく、床衝撃音に起因する大理石の石割れを効果的に低減することができる。
また、下部板２３ｂの裏面２３ｎに一般のタイルの裏足と同様の凹部２３ｋを形成したので、仕上げ板２３と補強板２２とを容易にかつ強固に接着することができるとともに、剥離の発生を確実に低減することができる。
また、床材２０全体の剛性を保持しつつ軽量化できるので、床支持具１１，１２を下地板２１の周縁部のみに配置しても十分な強度と遮音性能を得ることができる。
【００１７】
なお、前記実施の形態では上部板２３ａを大理石としたが、これに限るものではなく、御影石（花崗岩）などの他の石材を用いてもよい。また、下部板２３ｂについては、陶器質タイルなどの他のセラミックスを用いてもよいが、本例のように磁器質タイルを用いた方が強度や吸水性の点で有利である。
また、前記例では、補強板２２を厚さが１２ｍｍの一枚の板から構成したが、厚さが６ｍｍの目違い張りした２枚の合板とする構成としてもよい。要は、補強板２２の厚さが従来の仕上げ板にフローリング材を用いたときの補強板２２の厚さと同じ程度であればよい。なお、下地板２１、補強板２２、及び、仕上げ板２３の厚さは前記実施の形態に示した厚さに限るものではなく、部屋の大きさ等により、適宜設定すればよい。
また、仕上げ板２３の下部板２３ｂの裏面２３ｎに複数の溝部もしくは複数の凹部のいずれか一方または両方を形成しても、本例の凹部２３ｋと同様に、接着面積が増加するので、仕上げ板２３と補強板２２とを強固に接着することができるとともに、剥離の発生を確実に低減できる。
また、床支持具１１，１２は、必ずしも下地板２１の周縁部のみに配置する必要はなく、使用される下地板２１の面積が大きい場合などには、下地板２１の中央にも配置することが好ましい。
［実験例］
【００１８】
以下、本願の効果を実証した実験結果を述べる。
図４は、本実験に使用した床衝撃音レベル測定システムの概要を示す図で、音源室４１には、重量床衝撃音レベル測定のための衝撃音発生源としてのバングマシーン（タイヤによる打撃装置）Ｈと、軽量床衝撃音レベル測定のための衝撃音発生源としてのタッピングマシーンＴとが設置され、音源室４１の階下の部屋である受音室４２には、床衝撃音レベルを測定する測定器Ｄと、データを処理するコンピュータＰと、レコーダＲとが設置されている。なお、測定は、ＪＩＳ−Ａ−１４４０，１−２による方法で行った。なお、重量床衝撃音レベル測定としては、タイヤによる打撃の他に、ゴムボールを自由落下させる試験も行った。
本測定においては、被検体となる床材して、図１に示すような、厚さ２０ｍｍのパーティクルボードから成る下地板２１と、厚さ１２ｍｍの構造用合板から成る補強板２２と、厚さ３ｍｍの大理石から成る上部板２３ａと厚さ９ｍｍの磁器質タイルから成る下部板２３ｂとを積層した仕上げ板２３、とから成る床材２０を用い、これを床スラブ３１上に配置された床支持具１１，１２上により支持した構成とした。なお、実験においては、上記床スラブの厚さを１５０ｍｍとした。
また、比較のため、図９に示すような、補強板を、目違い張りした厚さ１２ｍｍの２枚の合板５２ａ，５２ｂから成る補強板５２とし、仕上げ板を、厚さ１２ｍｍの大理石から成る仕上げ板５３とした床材５０（比較例）についても同様の実験を行った。
なお、床支持具１１，１２の配置は、それぞれ、図２及び図１０に示した通りである。
【００１９】
図５は軽量床衝撃音レベルの測定結果を示すグラフ、図６，７はそれぞれバングマシーンとゴムボールによる重量床衝撃音レベルの測定結果を示すグラフである。各グラフの横軸は衝撃音のオクターブバンド中心周波数（Ｈｚ）で、縦軸は床衝撃音レベルの低減量（ｄＢ）を示す。図５〜図７において、実線が本発明の床材２０の測定結果で、破線が比較例の床材５０の測定結果である。なお、一点鎖線で記載したのは低減量の等級を示す等級ラインで、添付された数値は等級を示す。測定結果のラインが全て等級ライン（ｋ）より上にあるとき、低減等級はレベル（ｋ）と判定される。レベルの値が高いほど遮音性能が優れている。
図５に示す軽量床衝撃音レベルと図７に示すゴムボールによる重量床衝撃音レベル測定においては、本発明による床材２０も比較例の床材５０も、ともに低減等級はレベル（３）であった。しかしながら、図６に示すバングマシーンによる重量床衝撃音レベル測定においては、本発明による床材２０の低減等級はレベル（３）であるのに対し、比較例の床材５０低減等級はレベル（２）であった。
これにより、本発明による床材２０を用いることにより、遮音性能を更に向上させることができることが確認された。
また、本願発明の二重床構造では、従来の二重床構造に比べて床支持具１１，１２の数が少なくても、従来と同等以上の遮音性能を得ることができることも確認された。
【００２０】
以上、本発明を実施の形態を用いて説明したが、本発明の技術的範囲は前記実施の形態に記載の範囲には限定されない。前記実施の形態に、多様な変更または改良を加えることが可能であることが当業者にも明らかである。そのような変更または改良を加えた形態も本発明の技術的範囲に含まれ得ることが、特許請求の範囲から明らかである。
【産業上の利用可能性】
【００２１】
以上説明したように、本発明によれば、二重床構造において室内側に石材が配置した場合でも、補強板の厚さを厚くすることなく、石割れの発生をなくすとともに、遮音性能を確保することができる。
【符号の説明】
【００２２】
１０  二重床構造、１１，１２  床支持具、１１ａ，１２ａ  防振ゴム、
１１ｂ，１２ｂ  台座、１１ｃ，１２ｃ  支柱、１１ｄ，１２ｄ  ナット、
１２ｑ  突起、
２０  床材、２１  下地板、２２  補強板、２３  仕上げ板、２３ａ  上部板、
２３ｂ  下部板、２３ｎ  下部板の裏面、２３ｋ  凹部、２４  接着剤、
３１  床スラブ、３２  壁面、３３  幅木。
【図１】
2012122281.tif 000003
【図２】
2012122281.tif 000004
【図３】
2012122281.tif 000005
【図４】
2012122281.tif 000006
【図５】
2012122281.tif 000007
【図６】
2012122281.tif 000008
【図７】
2012122281.tif 000009
【図８】
2012122281.tif 000010
【図９】
2012122281.tif 000011
【図１０】
2012122281.tif 000012